【手続補正書】
【提出日】平成25年6月20日(2013.6.20)
【手続補正１】
【補正対象書類名】特許請求の範囲
【補正対象項目名】全文
【補正方法】変更
【補正の内容】
【特許請求の範囲】
【請求項１】
放射線治療の際に患者を搭置し、前記患者を放射線照射位置に設定する放射線治療寝台に用いる放射線治療寝台用天板であって、
前記放射線治療寝台に設置された固定板と、前記固定板に着脱可能に結合された分離板とを備え、
前記分離板は、
前記固定板に表裏変更可能に結合する固定板接続部と、前記固定板接続部から該分離板の長手方向に延伸した棒状アームとを有する分離板フレームと、
前記分離板フレームに着脱可能に接続される分割側板を複数有し、
前記棒状アームは、前記分離板の長手方向における中心線から該分離板の短手方向に離れた位置に配置されたことを特徴とする放射線治療寝台用天板。
【請求項２】
前記固定板は、前記分離板の前記固定板接続部に接続する係合柱を有し、
前記分離板は、前記固定板接続部に、前記係合柱に係合する係合穴を有し、
前記係合柱は、その中心軸が前記固定板を上から見た際の該固定板の長手方向における中心線に略一致する位置するように配置されたことを特徴とする請求項１記載の放射線治療寝台用天板。
【請求項３】
前記棒状アームは、前記分離板の表面側に位置する表面及び前記分離板の裏面側に位置する裏面に、それぞれ該分離板の長手方向に延伸して形成された係合溝を有し、
前記表面に形成された係合溝及び前記裏面に形成された係合溝は、前記分離板に平行な平面に投影した際の位置がそれぞれ略一致するように配置され、
前記分割側板は、前記棒状アームに接続する接続部を有し、
前記接続部に、前記係合溝に係合する係合突部が設けられたことを特徴とする請求項１または２に記載の放射線治療寝台用天板。
【請求項４】
前記棒状アームは、前記表面及び前記裏面のそれぞれに、平行した２本の前記係合溝を有することを特徴とする請求項３記載の放射線治療寝台用天板。
【請求項５】
前記分割側板の少なくとも１つは、開口部を形成した分割側板フレームと、前記開口部を覆ったシートと、前記開口部に着脱可能に設置されるプレートを有することを特徴とす
る請求項１乃至４のいずれか１項に記載の放射線治療寝台用天板。
【請求項６】
前記プレートは、Ｘ線を減衰させるＸ線減衰部を有することを特徴とする請求項５記載の放射線治療寝台用天板。
【請求項７】
前記シートは、前記開口部における前記分割側板の前記棒状アームに接続する側の部分を覆ったことを特徴とする請求項５または６に記載の放射線治療寝台用天板。
【請求項８】
前記シートは、その材質が放射線吸収率の低い材質であることを特徴とする請求項５乃至７のいずれか１項に記載の放射線治療寝台用天板。
【請求項９】
放射線治療の際に患者を搭置し、前記患者を放射線照射位置に設定する放射線治療寝台であって、
前記患者を搭置する放射線治療寝台用天板と、
前記放射線治療寝台用天板の位置を移動させる駆動装置とを備え、
前記放射線治療寝台用天板は、請求項１乃至８のいずれか１項に記載の放射線治療寝台用天板である放射線治療寝台。
【手続補正２】
【補正対象書類名】明細書
【補正対象項目名】００１３
【補正方法】変更
【補正の内容】
【００１３】
係合溝７は、後述する分割側板２の係合突部２１、分割側板３の係合突部３１、分割側板４の係合突部４１と係合する。表面５１ａに形成された係合溝７及び裏面５１ｄに形成された係合溝７は、分離板９に平行な平面に投影した際の位置がそれぞれ一致するように配置される。分割側板２、３、４は、それぞれの接続部２３、３３、３４と棒状アーム５１の角部の両面に当接して接続される（図４、図５参照）。図３において、棒状アーム５１の角部の両面とは、表面と側面である。
【手続補正３】
【補正対象書類名】明細書
【補正対象項目名】００１７
【補正方法】変更
【補正の内容】
【００１７】
分割端板１は、内側に開口部１ｄが形成された分割端板フレーム１ｃと、シート１ｂを有する。分割端板１の開口部１ｄは、患者１２の頭部が配置された場合に、粒子線を分割端板１の下方から照射する際に分割端板フレーム１ｃが粒子線を遮らないような大きさにしている。シート１ｂは開口部１ｄを覆っている。分割端板１は、分離板フレーム５の分割端板接続部５３に設けられた位置決突部１７に係合する係合穴を有する。分割端板１は、分割端板接続部５３の位置決突部１７を係合穴に係合され、分割端板接続部５３にボルトやナットなどの固定部品で固定される。
【手続補正４】
【補正対象書類名】明細書
【補正対象項目名】００１９
【補正方法】変更
【補正の内容】
【００１９】
図３を用いて、分割側板２、３、４と分離板フレーム５の棒状アーム５１との接続部分を詳しく説明する。分割側板２は、係合突部２１が棒状アーム５１の係合溝７（図３において左上側）に係合し、接続部２３が棒状アーム５１の表面５１ａと左側面５１ｂに当接して、がたつきがないように着脱可能に接続される。分割側板４は、係合突部４１が棒状アーム５１の係合溝７（図３において右上側）に係合し、接続部４３が棒状アーム５１の表面５１ａと右側面５１ｃに当接して、がたつきがないように着脱可能に接続される。分割側板３は、分割側板２と同様に、係合突部３１が棒状アーム５１の係合溝７（図３において左上側）に係合し、接続部３３が棒状アーム５１の表面５１ａと左側面５１ｂに当接して、がたつきがないように着脱可能に接続される。
【手続補正５】
【補正対象書類名】明細書
【補正対象項目名】００２１
【補正方法】変更
【補正の内容】
【００２１】
次に実施の形態１の放射線治療寝台２０を用いた照射を説明する。図６は、本発明の放射線治療寝台を用いた照射を説明する図である。放射線として陽子線や重粒子線などの荷電粒子線を用いる例で説明する。天板１５に固定された患者１２に粒子線治療装置６０により粒子線６２を照射する。粒子線治療装置６０の照射ノズル６１から粒子線６２を照射する方向は、患者１２の照射対象である患部の位置により、適切な方向が選択される。例えば、粒子線治療装置６０の照射ノズル６１は回転ガントリに設置され、患者１２の周り３６０度のいずれの方向からも照射することができる。図６では、３つの方向を図示している。粒子線６２Ａは患者１２の真上から照射される場合であり、粒子線６２Ｂは患者１２の斜め下方から照射される場合であり、粒子線６２Ｃは患者１２の真下から照射される場合である。粒子線６２Ａは、患者１２の真上に配置された粒子線治療装置６０Ａの照射ノズル６１Ａから照射される。同様に粒子線６２Ｂは患者１２の斜め下方に配置された粒子線治療装置６０Ｂの照射ノズル６１Ｂから照射され、粒子線６２Ｃは、患者１２の真下に配置された粒子線治療装置６０Ｃの照射ノズル６１Ｃから照射される。
【手続補正６】
【補正対象書類名】明細書
【補正対象項目名】００２３
【補正方法】変更
【補正の内容】
【００２３】
実施の形態１の天板１５は、分離板フレーム５の棒状アーム５１が天板１５の長手方向における中心線１３及びこの中心線１３を通り天板１５の垂直方向における中心線１４から左右方向にオフセットして配置している。棒状アーム５１が中心線１３から左右方向にオフセットして配置いることにより、従来のセンタースパイン天板では不可能であった、天板真下付近からの照射も可能となる。ただし、図３に示す通り、分離板フレーム５の剛性を確保する為には、棒状アーム５１は左又は右へ大きくオフセットさせることは困難である。天板の中心線１３に対して正確に真下から広い照射範囲を照射することは困難な場合がある。しかし、患者１２の放射線照射位置を天板長手方向の中心線１３から棒状アーム５１が粒子線６２の照射範囲に位置しないように患者１２を若干移動させて対応できる。具体的には、患者１２を若干移動させ、その移動によるアイソセンターからの位置ずれを放射線治療寝台２０が備えている駆動装置１１により、左右方向駆動を使用するなどの方法によって、調整することがきる。したがて、実施の形態１の天板１５は、従来のセンタースパイン方式の天板よりも、粒子線６２の照射方向をカバーできる範囲を広範囲にすることができる。
【手続補正７】
【補正対象書類名】明細書
【補正対象項目名】００２９
【補正方法】変更
【補正の内容】
【００２９】
以上のように実施の形態１の放射線治療寝台用天板１５によれば、放射線治療寝台２０に設置された固定板６と、固定板６に着脱可能に結合された分離板９とを備え、分離板９は、固定板６に表裏変更可能に結合する固定板接続部５２と、固定板接続部５２から該分離板９の長手方向に延伸した棒状アーム５１とを有する分離板フレーム５と、分離板フレーム５に着脱可能に接続される分割側板２、３、４を複数有し、棒状アーム５１は、該分離板９の長手方向における中心線１３から該分離板９の短手方向に離れた位置に配置されたので、分離板フレームを表裏変更して棒状アームの位置を変更でき、サイドフレーム方式とセンタースパイン方式との間を相互に変更する可動部を無くした簡略な構造で、この可動部の位置ずれを抑制することができる。
【手続補正８】
【補正対象書類名】明細書
【補正対象項目名】００３０
【補正方法】変更
【補正の内容】
【００３０】
以上のように実施の形態１の放射線治療寝台２０によれば、患者１２を搭置する放射線治療寝台用天板１５と、放射線治療寝台用天板１５の位置を移動させる駆動装置１１とを備え、放射線治療寝台用天板１５は、放射線治療寝台２０に設置された固定板６と、固定板６に着脱可能に結合された分離板９とを備え、分離板９は、固定板６に表裏変更可能に結合する固定板接続部５２と、固定板接続部５２から該分離板９の長手方向に延伸した棒状アーム５１とを有する分離板フレーム５と、分離板フレーム５に着脱可能に接続される分割側板２、３、４を複数有し、棒状アーム５１は、該分離板９の長手方向における中心線１３から該分離板９の短手方向に離れた位置に配置されたので、放射線治療寝台用天板がサイドフレーム方式とセンタースパイン方式との間を相互に変更する可動部を無くした簡略な構造で、この可動部の位置ずれを抑制することができ、放射線治療における放射線照射部のずれを抑制することができ、放射線治療を高精度に行うことができる。
【手続補正９】
【補正対象書類名】明細書
【補正対象項目名】００４２
【補正方法】変更
【補正の内容】
【００４２】
２、３、４…分割側板、２ａ、３ａ…プレート、２ｂ、３ｂ…シート、２ｃ、３ｃ…分割側板フレーム、２ｄ、３ｄ…開口部、５、３５…分離板フレーム、６、８…固定板、７…係合溝、９、１０…分離板、１１…駆動装置、１２…患者、１３…中心線、１５、１６…天板、２０、５０…放射線治療寝台、２１、３１、４１…係合突部、２３、３３、４３…接続部、２４…金属球、２５…金属プレート、２６…係合柱、２８…係合穴、５１…棒状アーム、５１ａ…表面、５１ｄ…裏面、５２、５４…固定板接続部。